(57)【要約】      （修正有）【課題】被処理水から上澄み水を完全に分離することができる溢流壁を備えた水処理装置を提供する。【解決手段】被処理水を攪拌するための攪拌槽１２と、攪拌槽において攪拌された被処理水を沈殿処理するための１又は複数基の沈殿槽３０、４０とを備え、沈殿槽３０、４０の上部に、流入側から流出側まで延び、両側に開口がそれぞれ設けられた頂板３４、４４が取り付けられており、頂板３４、４４の両縁に垂直方向上方に延びた溢流壁３６ａ、３６ｂ、４６ａ、４６ｂがそれぞれ取り付けられている。【選択図】図３
0003216255.tif 000002
【実用新案登録請求の範囲】
【請求項１】
被処理水を攪拌するための攪拌槽と、前記攪拌槽において攪拌された被処理水を沈殿処理するための１又は複数基の沈殿槽とを備えた水処理装置において、
前記沈殿槽の上部に、流入側から流出側まで延び、両側に開口がそれぞれ設けられた頂板が取り付けられており、前記頂板の両縁に垂直方向上方に延びた溢流壁がそれぞれ取り付けられていることを特徴とする水処理装置。
【請求項２】
前記溢流壁が、三角形を規則的に並べた形状、又は台形を規則的に並べた形状を有することを特徴とする請求項１に記載された水処理装置。
【考案の詳細な説明】
【技術分野】
【０００１】
本考案は一般に、水処理装置に関する。より詳細には、本考案は、溢流壁を備えた水処理装置に関する。
【背景技術】
【０００２】
工場用水や建設工事などで発生する排水を処理する水処理装置として、種々の型式のものが知られており、本考案者の共同研究者も、新規な水処理装置を提案している（特許文献１）。
【先行技術文献】
【特許文献】
【０００３】
【特許文献１】特許第５４０３６０６号公報
【考案の概要】
【考案が解決しようとする課題】
【０００４】
特許文献１に記載された水処理装置は、幸いにして好評をもって迎えられた。本考案は、この水処理装置を改良発展させたものであって、被処理水から上澄み水を完全に分離することができる溢流壁を備えた水処理装置を提供するものである。
【課題を解決するための手段】
【０００５】
本願請求項１に記載の、被処理水を攪拌するための攪拌槽と、前記攪拌槽において攪拌された被処理水を沈殿処理するための１又は複数基の沈殿槽とを備えた水処理装置は、前記沈殿槽の上部に、流入側から流出側まで延び、両側に開口がそれぞれ設けられた頂板が取り付けられており、前記頂板の両縁に垂直方向上方に延びた溢流壁がそれぞれ取り付けられていることを特徴とするものである。
【０００６】
本願請求項２に記載の水処理装置は、前記請求項１の装置において、前記溢流壁が、三角形を規則的に並べた形状、又は台形を規則的に並べた形状を有することを特徴とするものである。
【考案の効果】
【０００７】
本発明の水処理装置によれば、溢流壁を設けたことにより、当該沈殿槽の最上層に位置する最もきれいな上澄み水のみを確実に次の槽に流入させることができるとともに、当該沈殿槽の水流を安定させ、流入口から当該沈殿槽に流入する未だ完全に分離していない濁水が次の槽に流出するのを防ぐことができる。
【図面の簡単な説明】
【０００８】
【図１】本考案の好ましい実施の形態に係る水処理装置の全体斜視図である。
【図２】図１の線２‐２に沿って見た断面図である。
【図３】図１の水処理装置において溢流壁のみを実線で示した斜視図である。
【図４】図２の平面図である。
【図５】溢流壁の形状を示した図である。
【考案を実施するための形態】
【０００９】
次に図面を参照して、本発明の好ましい実施の形態に係る水処理装置について詳細に説明する。図１は、本発明の好ましい実施の形態に係る水処理装置の全体を示した斜視図、図２は、図１の線２‐２に沿って見た断面図である。図１において全体として参照符号１０で示される本発明の好ましい実施の形態に係る水処理装置は、攪拌槽１２と、第１沈殿槽３０と、第２沈殿槽４０とを備えている。
【００１０】
攪拌槽１２は、全体として箱型の形状に形作られており、平面的にほぼ中央の箇所に配置された攪拌装置１４を有している。攪拌装置１４は、垂直方向に延びたシャフト１４ａと、シャフト１４ａの下端に固定された攪拌用羽根１４ｂと、シャフト１４ａを回転させるためのモータ１４ｃとを有している。攪拌槽１２には、攪拌装置１４のモータ１４ｃを覆うように配置され、下端がラッパ状に開放した円筒管１６が設けられている。円筒管１６の側壁には、多数の貫通孔１６ａが設けられている。
【００１１】
処理しようとする汚水や排水等（以下「被処理水」という）は、攪拌槽１２に投入され、攪拌装置１４を作動させると、攪拌用羽根１４ｂの回転によって、被処理水が下方に差し向けられ、底壁に当たって被処理水が上昇し、円筒管１６の各貫通孔１６ａから円筒管１６内にそれぞれ吸い込まれるので、攪拌槽１２内で下方から上方に向かって流れる水流が発生し、被処理水の攪拌が効率的に行われる。
【００１２】
攪拌槽１２の側壁には、被処理水投入管１８が配置されている。被処理水投入管１８に隣接した攪拌槽１２の内部には、被処理水投入路２０が形成されている。被処理水投入路２０は、被処理水投入管１８と連通した被処理水投入口２０ａと、攪拌装置１４の攪拌用羽根１４ｂのほぼ側方に位置決めされた被処理水排出口２０ｂとを有しており、被処理水投入口２０ａの位置する箇所と被処理水排出口２０ｂの位置する箇所とを隔て、上端に連通部２０ｃ１が設けられた垂直隔壁２０ｃによって、被処理水投入路２０の内部が第１部分２０ｄと第２部分２０ｅとに分割されている（図２参照）。
【００１３】
第１沈殿槽３０は、全体として箱型の形状を有し、下部分３０ａが逆円錐形状又は逆角錐形状に形作られている。攪拌槽１２と第１沈殿槽３０との間には、攪拌槽１２と第１沈殿槽３０とを連通させる連通路３２が配置されている。連通路３２は、攪拌槽１２の第１沈殿槽３０側の側壁に攪拌槽１２の上部から垂直方向下方に延びるように配置された流入口３２ａと、第１沈殿槽３０に配置された流出口３２ｂとを有している。
【００１４】
第１沈殿槽３０の上部には、図４に最も良く示されるように、攪拌槽１２から第２沈殿槽４０まで延び、両側に開口３８ａ、３８ｂが設けられた頂板３４が取り付けられている。頂板３４の両縁には、垂直方向上方に延びた鋸刃形状の溢流壁３６ａ、３６ｂがそれぞれ取り付けられている。
【００１５】
溢流壁３６ａ、３６ｂを設けることにより、第１沈殿槽３０の最上層に位置する最もきれいな上澄み水のみが確実に次の槽（第２沈殿槽４０）に流入するようにするとともに、第１沈殿槽３０の水流を安定させ、流入口３２ａから第１沈殿槽３０に流入する未だ完全に分離していない濁水が次の槽（第２沈殿槽４０）に流出するのを防ぐことができる。
【００１６】
第２沈殿槽４０も、第１沈殿槽３０と同様に、全体として箱型の形状を有し、下部分４０ａが逆円錐形状又は逆角錐形状に形作られている。第１沈殿槽３０と第２沈殿槽４０との間には、第１沈殿槽３０と第２沈殿槽４０とを連通させる連通路４２が配置されている。連通路４２は、第１沈殿槽３０の第２沈殿槽４０側の側壁に第１沈殿槽３０の上部から垂直方向下方に延びるように配置された流入口４２ａと、第２沈殿槽４０に配置された流出口４２ｂとを有している。
【００１７】
第２沈殿槽４０の上部には、図４に最も良く示されるように、第１沈殿槽３０から後述する排出口５０まで延び、両側に開口４８ａ、４８ｂが設けられた頂板４４が取り付けられている。頂板４４の両縁には、垂直方向上方に延びた鋸刃形状の溢流壁４６ａ、４６ｂがそれぞれ取り付けられている。
【００１８】
溢流壁４６ａ、４６ｂを設けることにより、第２沈殿槽４０の最上層に位置する最もきれいな上澄み水のみが確実に排出口５０に至るようにすることができるとともに、第２沈殿槽４０の水流を安定させ、流入口４２ａから第２沈殿槽４０に流入する被処理水が十分に分離しないまま排出されるのを防ぐことができる。
【００１９】
第２沈殿槽４０の第１沈殿槽３０が位置する側と反対側の側壁には、本装置によって処理水を排出させるための排出口５０が配置されている（図１参照）。
【００２０】
次に、以上のように構成された水処理装置１０の作動について説明する。図２に示されるように、被処理水投入管１８から攪拌槽１２内に投入された被処理水は、被処理水投入口２０ａを通り、垂直隔壁２０ｃを越流して被処理水投入路２０の第２部分２０ｅに落下する。
【００２１】
このようにして、水処理剤が混合された被処理水を、被処理水排出口２０ｂを介して、攪拌槽１２に投入し、攪拌装置１４を作動させると、攪拌用羽根１４ｂの回転によって、被処理水が下方に差し向けられ、底壁に当たって被処理水が上昇し、円筒管１６の貫通孔１６ａから円筒管１６内に吸い込まれるので、攪拌槽１２内で下方から上方に向かって流れる水流が発生し、被処理水の攪拌が効率的に行われる。
【００２２】
攪拌槽１２において十分に攪拌された被処理水は、連通路３２を介して、第１沈殿槽３０内に流入する。第１沈殿槽３０内に流入した被処理水のうち濁水は沈殿し、第１沈殿槽３０の上部に比較的清浄な被処理水が位置することとなる。そして、溢流壁３６ａ、３６ｂを設けたことにより、図３において矢印で示されるように、第１沈殿槽３０の最上層に位置する最もきれいな上澄み水のみを、連通路４２を介して、第２沈殿槽４０に確実に流入させることができる。
【００２３】
次いで、被処理水は、連通路４２を介して、第２沈殿槽４０内に流入する。そして、溢流壁４６ａ、４６ｂを設けたことにより、図３において矢印で示されるように、第２沈殿槽４０の最上層に位置する最もきれいな上澄み水のみを、排出させることができる。
【００２４】
このようにして沈殿処理された被処理水は、排出口５０から装置外に排出される。
【００２５】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００２６】
たとえば、溢流壁３６ａ、３６ｂ、４６ａ、４６ｂを、三角形を規則的に並べた形状（図５（ａ）参照）に形作ってもよいし、台形を規則的に並べた形状（図５（ｂ）参照）にしてもよい。
【００２７】
また、前記実施の形態では、水処理装置１０が１基の攪拌槽１２と２基の沈殿槽３０、４０が結合したものとして示されているが、攪拌槽１２と沈殿槽３０、４０を別体のものとして形成してもよい。また、沈殿槽３０、４０を別体のものとして形成してもよい。
【００２８】
さらに、前記実施の形態では、水処理装置１０が１基の攪拌槽１２と２基の沈殿槽３０、４０を有するものとして説明されているが、攪拌槽の基数が単一でも或いは３基以上でもよく、沈殿槽の基数も単一でも或いは３基以上でもよい。
【符号の説明】
【００２９】
１０  水処理装置
１２  攪拌槽
１４  攪拌装置
１６  円筒管
１８  被処理水投入管
２０  被処理水投入路
３０  第１沈殿槽
３２  連通路
３４  頂板
３６ａ、３６ｂ  溢流壁
３８ａ、３８ｂ  開口
４０  第２沈殿槽
４２  連通路
４４  頂板
４６ａ、４６ｂ  溢流壁
４８ａ、４８ｂ  開口
５０  排出口
【図１】
0003216255.tif 000003
【図２】
0003216255.tif 000004
【図３】
0003216255.tif 000005
【図４】
0003216255.tif 000006
【図５】
0003216255.tif 000007